(57)【要約】【課題】  留め具本体内の抜け止め用のつめに被覆が除去された支持線の裸線部分を直接噛み合わせるようにして、支持線の引き抜きを阻止できるようにする。【解決手段】  留め具本体１の貫通孔２に内接して接合体４１が摺動可能に設けられ、接合体４１は、戻しばね３に押圧されて、留め具本体１に装着されている口金５の内端部（５ａ）に当接しており、接合体４１の中心孔４２には支持線と噛み合うことができるつめ４が設けられている通信線用引き留め具において、中心孔４２は被覆が除去されて挿通された支持線の裸線部分をつめ４と噛み合わせることができる口径であり、口金５には内端部５ａ寄りに位置させて支持線の被覆を受け止めることができる口径の縮小部６が設けられている構成である。【選択図】  図１
2006217784.tif 000002
【特許請求の範囲】
【請求項１】
留め具本体の貫通孔に内接して接合体が摺動可能に設けられ、接合体は、戻しばねに押圧されて、留め具本体に装着されている口金の内端部に当接しており、その接合体の中心孔には支持線と噛み合うことができるつめが設けられている通信線用引き留め具において、上記中心孔は被覆が除去されて挿通された支持線の裸線部分をつめと噛み合わせることができる口径であり、上記口金には内端部寄りに位置させて支持線の被覆を受け止めることができる口径の縮小部が設けられていることを特徴とする通信線用引き留め具。
【請求項２】
口径の縮小部はプレス加工により形成された短い筒体に形成され、その筒体はプレス加工された口金の内端部側に圧入して固着されていることを特徴とする請求項１記載の通信線用引き留め具。
【請求項３】
口金はダイカスト加工により形成され、口径の縮小部は、口金の内端部内面側を他の部分より肉厚くして、該口金と一体的に設けられていることを特徴とする請求項１記載の通信線用引き留め具。
【請求項４】
口金は合成樹脂製の型物成形品であって、口径の縮小部は、口金の内端部内面側を他の部分より肉厚くして、該口金と一体的に設けられているることを特徴とする請求項１記載の通信線用引き留め具。
【発明の詳細な説明】
【技術分野】
【０００１】  本発明は、電話線等の屋外通信線を引き込む際の引き留めに用いる、通信線用引き留め具に関する。
【背景技術】
【０００２】  通信線用引き留め具はＵ字状環により電柱等に取付けて用いられ、その留め具本体に通信線の支持線（メッセンジャーワイヤー）を挿入できる口金（パイプ）と、ばね作用下におかれて支持線に噛み合う抜け止め用のつめが設けられている構造のものが従来より知られている。一方、通信線に縦添えされた支持線は被覆されており、この支持線が上記口金から留め具本体内に挿入されると、支持線の被覆部分がつめに噛み合って引き留めが果たされる仕組になっている。なお、つめは、留め具本体の直円錐台状の貫通孔に内接して摺動可能に設けられている、二つ割りのものが突き合わされた接合体の中心孔に形成されている。
【特許文献１】  意匠登録第７０８３９４号公報
【発明の開示】
【発明が解決しようとする課題】
【０００３】  上記従来の引き留め具は、支持線が被覆部分によりつめに噛み合うことで、支持線の引き留めが果たさているため、支持線が何らかの外力によって引っ張られるようになると、つめに噛み合わせた被覆を残したまま支持線だけが引き留め具より引き抜かれて、通信線の引き留めが解除されるという不具合の起こることは避けられず、その改善策が要望されていた。【０００４】  本発明はこのような問題を解決したものであって、その目的は支持線を引き留め具に挿入する時に被覆が口金部位に留まり、支持線抜け止め用のつめには予め被覆が除去されている支持線の裸線部分が直接噛み合うようにして、支持線が引き抜かれないようにする一方、上記裸線部分を雨水の影響から可能な限り解放し、支持線の引き留めが不当に解除されないように改良した通信線用引き留め具を提供することにある。
【課題を解決するための手段】
【０００５】  上記目的を達成するために、本発明の特徴とする通信線用引き留め具は、留め具本体の貫通孔に内接して接合体が摺動可能に設けられ、接合体は、戻しばねに押圧されて、留め具本体に装着されている口金の内端部に当接しており、その接合体の中心孔には支持線と噛み合うことができるつめが形成されている通信線用引き留め具において、上記中心孔は被覆が除去されて挿通された支持線の裸線部分をつめと噛み合わせることができる口径であり、上記口金には内端部寄りに位置させて支持線の被覆を受け止めることができる口径の縮小部が設けられている構成である。【０００６】  本発明のこの構成において、支持線の被覆を受け止めることができる口径の縮小部はプレス加工により設けられたもの、口金とともにダイカスト加工により設けられたものいずれでもよく、被覆が除去されている支持線の裸線部分をつめ側へ向かって挿通はできるが、支持線の被覆は受け止める構造のものであればよい。ダイカスト加工による場合は、口金と口径の縮小部を一体化して構成できる利点があり、この一体化のためには合成樹脂による型物成形品として口金を構成してもよい。また、口金の外端部の口径を単に縮小して被覆を受け止めることができるように実施することも可能である。因みに、口金の外端部で被覆を受け止めるように実施した場合は、被覆が除去されている支持線の裸線部分は雨水に触れ易くなって、支持線への腐食防止機能は低下することがある。
【発明の効果】
【０００７】  支持線は裸線部分が抜け止め用のつめ側に挿入される一方、被覆の先端部は口径の縮小部に受け止められるため、つめには裸線部分が直接噛み合って掛け止められ、支持線の引き留め状態は強固に安定して、支持線の引き抜きを阻止できる。また、支持線の被覆の先端部側は口金内に留まるようになるので、支持線を挿入する口金外端部側から支持線の裸線部分への雨水による影響は解消され、破損の原因となる支持線の腐食も防止できる。
【発明を実施するための最良の形態】
【０００８】  以下に、本発明を実施するための形態を図面を参照して説明する。図１と図２において、１は直円錐台状にくり貫かれた貫通孔２を有する留め具本体であって、この留め具本体１もほぼ直円錐台状である。貫通孔２には留め具本体１の基部１ａから戻しばね３、支持線ｗに噛み合う抜け止め用のつめ４及び被覆された支持線ｗを挿入できる口金５が順次当接した状態で設けられている。つめ４は後述するように接合体４１の中心孔４２を利用して設けられており、口金５は、内端部５ａ側の折り曲がった口縁を貫通孔２の先端部２ａ側の口縁に係止させて、つめ４とは同一中心軸線上に位置させて留め具本体１に装着されている。【０００９】  口金５はプレス加工により形成されたパイプ体であって、その内端部５ａ側に位置して支持線ｗの被覆を受け止めることができる口径の縮小部６が設けられており（図２参照）、この縮小部６は、口金５の内端部５ａ側に圧入して固着されている、プレス加工により形成された短い筒体の底部６ａに設けられている。６ｂはその窓穴であって、この筒体の口縁６ｃは口金５の内端部５ａの折り曲がった口縁に密着している。【００１０】  つめ４は貫通孔２に内接して摺動可能である接合体４１の中心孔４２のほぼ全域にわたって設けられており、中心孔４２の口径はつめ４に支持線ｗの裸線部分ａを噛み合わせることができる寸法である。接合体４１は、貫通孔２に対応した形状のものを二つ割りして、これを突き合わせて構成されており、戻しばね３の押圧作用によって口金５の内端部５ａと当接している。なお、留め具本体１の基部１ａには鍔部が設けられており、この鍔部に本引き留め具の電柱への取り付けに用いるＵ字状環７の両端が取り付けられている。図中、８は貫通孔２の留め具本体１の基部１ａ側に装着した蓋体である。【００１１】  次に、本発明を実施する口金の他の形態について説明する。図３において、５′はダイカスト加工により形成されたるパイプ状の口金であって、この口金５′の内端部５ａ′側には支持線ｗの被覆を受け止めることができる口径の縮小部６′が設けられている。縮小部６′は、口金５′の他の部分より肉厚くして、該口金５′と一体的に形成され、その肉厚部分の環状肩部６′ａは支持線ｗから被覆が除去された裸線部分ａだけの挿通部として機能しており、６′ｂはその窓穴である。この一体構成には、図示説明は省略するが、塩化ビニル樹脂等の合成樹脂による型物成形品として口金を構成してもよい。【００１２】    本引き留め具は上記の構成であって、図４に示すように電柱にＵ字状環７を介して取り付けた後、支持線ｗの被覆が長さ１００ｍｍ程度除去されている先端部側の裸線部分を口金５から図１に示す縮小された口径部６を通してつめ４に挿入すると、裸線部分はつめ４と噛み合って支持線ｗの引き抜きを阻止できる一方、被覆は上記口径部６に受け止められてつめ４側への挿入が不可能となり、被覆がつめ４に噛み合うことはない。
【図面の簡単な説明】
【００１３】
【図１】  本発明の実施例の一形態を一部省略して示す正断面図である。
【図２】  図１に示されている口金の拡大正断面図である。
【図３】  図２の口金の他の形態を示す正断面図である。
【図４】  本発明に係る引き留め具の使用状態を概略的に示す正面図である。
【符号の説明】
【００１４】  １は留め具本体
２は貫通孔
３は戻しばね
４はつめ
５，５′は口金
５ａ，５′ａは内端部
６，６′は口径の縮小部
６ｂ，６′ｂは窓孔
４１は接合体
４２は中心孔
ａは裸線部分
ｗは支持線
【図１】
2006217784.tif 000003
【図２】
2006217784.tif 000004
【図３】
2006217784.tif 000005
【図４】
2006217784.tif 000006